(57)【要約】【課題】磁気テープの走行の安定性に優れ、正確なサーボ信号を書き込めるサーボライタや、トラックずれによる読み取りエラーを防止できる磁気テープドライブ等の磁気テープ装置を提供する。あわせて、正確なサーボ信号を書き込める磁気テープの製造方法を提供する。【解決手段】磁気テープＭＴを搬送経路へ案内する第１及び第２の固定ガイド部１４、１５と、磁気テープＭＴの搬送を幅方向に規制する規制部１４ａ、１５ａと、第１のピンチローラ１６と、第２のピンチローラ１７と、第１のピンチローラ１６と第２のピンチローラ１７とに挟まれるよう配置した回転体であるキャプスタン１８とを備え、磁気テープＭＴは、第１のピンチローラ１６とキャプスタン１８との間に挟圧支持され、かつ第２のピンチローラ１７とキャプスタン１８との間に挟圧支持されて搬送される。【選択図】図２
2010205333.tif 000002
【特許請求の範囲】
【請求項１】
磁気テープに前記磁気テープの幅方向の位置基準となるサーボ信号を書き込み、又は前記書き込んだ前記サーボ信号を読み取って前記磁気テープの走行時における幅方向の変動を検出する磁気テープ装置であって、
前記磁気テープを送出する送出部と、
前記磁気テープを巻き取る巻取部と、
前記送出部から前記巻取部までの前記磁気テープの搬送経路上に前記磁気テープに当接して配置される磁気ヘッドと、
前記磁気ヘッドに対し前記搬送経路の上流側に前記磁気ヘッドに隣接して配置し、前記磁気テープと当接して前記磁気テープを前記搬送経路へ案内する第１の固定ガイド部と、
前記磁気ヘッドに対し前記搬送経路の下流側に前記磁気ヘッドに隣接して配置し、前記磁気テープと当接して前記磁気テープを前記搬送経路へ案内する第２の固定ガイド部と、
前記第１及び第２の固定ガイド部に配置され、前記磁気テープの搬送を幅方向に規制する規制部と、
前記第１の固定ガイド部に対し前記搬送経路の上流側に配置した第１のピンチローラと、
前記第２の固定ガイド部に対し前記搬送経路の下流側に配置した第２のピンチローラと、
前記第１のピンチローラと前記第２のピンチローラとに挟まれるように配置した回転体であるキャプスタンとを備え、
前記磁気テープは、前記第１のピンチローラと前記キャプスタンとの間に挟圧支持され、かつ前記第２のピンチローラと前記キャプスタンとの間に挟圧支持されて搬送されることを特徴とする磁気テープ装置。
【請求項２】
前記第１の固定ガイド部の前記磁気テープの搬送経路の上流側端部と、前記第１のピンチローラと前記キャプスタンとの当接点との間の距離ｄ、及び前記第２の固定ガイド部の前記磁気テープの搬送経路の下流側端部と、前記第２のピンチローラと前記キャプスタンとの当接点との間の距離ｄは、５ｍｍ以下である請求項１に記載の磁気テープ装置。
【請求項３】
前記磁気テープは、長手方向にデータトラックを有しており、前記データトラックのトラック幅が３０μｍ以下である請求項１又は２に記載の磁気テープ装置。
【請求項４】
請求項１から３のいずれかに記載の磁気テープ装置を用いた磁気テープの製造方法であって、
前記磁気テープ装置は、サーボライタであり、
前記磁気ヘッドにより前記サーボ信号を前記磁気テープに書き込んで、前記サーボ信号が書き込まれた磁気テープを製造することを特徴とする磁気テープの製造方法。
【発明の詳細な説明】
【技術分野】
【０００１】
本発明は、磁気テープ装置に関し、さらに詳しくは、磁気テープの走行を幅方向に規制する規制部を有する固定ガイド部と、磁気ヘッドとを備える磁気テープ装置に関する。
【背景技術】
【０００２】
近年のコンピュータ用データストレージとして利用されている磁気テープは、記録容量を増大させるために記録密度を向上させている。そのため、長手方向にデータトラックを有する磁気テープでは、データが記録されるデータトラックのトラック幅は極めて狭くなっている。例えば、トラック幅が２０μｍ以下の記録フォーマットが提案されている。
【０００３】
このようにデータトラックの幅が狭くなると、磁気テープ上のデータトラックと、磁気ヘッドの信号読取素子との位置を合わせるのは、極めて困難になる。このため、予め位置基準となるサーボ信号を書き込んだ磁気テープが用いられている。この磁気テープを用いれば、磁気テープドライブ上で磁気テープが走行する際に、磁気テープに書き込んだサーボ信号を読み取ることにより、テープの幅方向の変動を検出することができる。
【０００４】
この幅方向の変動に応じて、磁気テープドライブの磁気ヘッドユニットをアクチュエータで磁気テープの幅方向に動かしてフィードバック制御を行う。このことにより、２０μｍ程度の狭トラック幅であっても、磁気ヘッドの信号読取素子がデータトラックからはみ出すことのないようにすることができる。
【０００５】
磁気テープに記録されるサーボ信号は、磁気テープへのデータ信号の記録、再生の基準となる位置であることから、製造工程において磁気テープに正確に書き込まれる必要がある。
【０００６】
そのため、磁気テープの製造工程では、磁気ヘッドに隣接して磁気テープを幅方向に規制する規制部を有する固定ガイドが配設され、幅方向の振れがほとんど無い状態で固定された磁気ヘッドを用いてサーボ信号を書き込みする専用のサーボライタが用いられている。そして、このようにサーボ信号が記録された磁気テープをカートリッジケース内に収納してコンピュータ用磁気テープカートリッジを製造している。
【０００７】
前記のサーボライタの具体例は特許文献１に記載されており、磁気テープドライブの具体例は特許文献２に記載されている。さらに、磁気テープの幅方向の揺れを抑制するための方法が特許文献３に開示されている。
【先行技術文献】
【特許文献】
【０００８】
【特許文献１】特開２００５−９２９３８号公報
【特許文献２】特許第２７２９０３１号公報
【特許文献３】国際公開第２００７／０９４２５７号パンフレット
【発明の概要】
【発明が解決しようとする課題】
【０００９】
しかしながら、一般に使用される磁気テープドライブは、コスト上及び磁気テープの繰返し使用耐久性の観点から、通常サーボライタほどの正確な走行系を有していない。このため、サーボ信号が正確に書き込まれていても、磁気テープドライブでの走行時における磁気テープの幅方向の揺れにより、サーボ制御が追従できず、データの読み取りエラーが生じる場合がある。
【００１０】
また、前記のような従来のサーボライタや磁気テープドライブなどに代表される磁気テープ装置では、データトラック幅が１０μｍ以下の磁気テープに対しては、サーボ信号の記録時のサーボトラックの正確性、データ信号を記録したテープから信号を再生する際のテープ走行の安定性が不十分となってきた。
【００１１】
本発明は前記のような従来の問題を解決するものであり、磁気テープの走行の安定性に優れ、正確なサーボ信号を書き込めるサーボライタや、トラックずれによる読み取りエラーを防止できる磁気テープドライブ等の磁気テープ装置を提供する。あわせて、正確なサーボ信号を書き込める磁気テープの製造方法を提供する。
【課題を解決するための手段】
【００１２】
前記目的を達成するために、本発明の磁気テープ装置は、磁気テープに前記磁気テープの幅方向の位置基準となるサーボ信号を書き込み、又は前記書き込んだ前記サーボ信号を読み取って前記磁気テープの走行時における幅方向の変動を検出する磁気テープ装置であって、前記磁気テープを送出する送出部と、前記磁気テープを巻き取る巻取部と、前記送出部から前記巻取部までの前記磁気テープの搬送経路上に前記磁気テープに当接して配置される磁気ヘッドと、前記磁気ヘッドに対し前記搬送経路の上流側に前記磁気ヘッドに隣接して配置し、前記磁気テープと当接して前記磁気テープを前記搬送経路へ案内する第１の固定ガイド部と、前記磁気ヘッドに対し前記搬送経路の下流側に前記磁気ヘッドに隣接して配置し、前記磁気テープと当接して前記磁気テープを前記搬送経路へ案内する第２の固定ガイド部と、前記第１及び第２の固定ガイド部に配置され、前記磁気テープの搬送を幅方向に規制する規制部と、前記第１の固定ガイド部に対し前記搬送経路の上流側に配置した第１のピンチローラと、前記第２の固定ガイド部に対し前記搬送経路の下流側に配置した第２のピンチローラと、前記第１のピンチローラと前記第２のピンチローラとに挟まれるように配置した回転体であるキャプスタンとを備え、前記磁気テープは、前記第１のピンチローラと前記キャプスタンとの間に挟圧支持され、かつ前記第２のピンチローラと前記キャプスタンとの間に挟圧支持されて搬送されることを特徴とする。
【００１３】
本発明の磁気テープの製造方法は、前記本発明の磁気テープ装置を用いた磁気テープの製造方法であって、前記磁気テープ装置は、サーボライタであり、前記磁気ヘッドにより前記サーボ信号を前記磁気テープに書き込んで、前記サーボ信号が書き込まれた磁気テープを製造することを特徴とする。
【発明の効果】
【００１４】
本発明によれば、磁気テープの走行の安定性に優れ、正確なサーボ信号を書き込めるサーボライタや、トラックずれによる読み取りエラーを防止できる磁気テープドライブ等の磁気テープ装置を提供することができる。あわせて、正確なサーボ信号を書き込める磁気テープの製造方法を提供することができる。
【図面の簡単な説明】
【００１５】
【図１】本発明の一実施の形態に係る磁気テープ装置の構成図。
【図２】図１に示したサーボライタの要部拡大図。
【図３】図２のＡ部の拡大図。
【図４】図３においてＢ方向から見た図。
【図５】比較例に係るサーボライタの構成図。
【発明を実施するための形態】
【００１６】
前記本発明の磁気テープ装置の構成によれば、送出部から第１の固定ガイドまでの搬送に伴う磁気テープの搬送速度変動、揺れ（振動）や、第２の固定ガイドから巻取部までの搬送に伴う磁気テープの搬送速度変動、揺れ（振動）がそれぞれの固定ガイドに対応した第１及び第２のピンチローラで遮断される。
【００１７】
このことにより、磁気テープは各固定ガイド上を所定の速度で整然と走行することができる。したがって、磁気ヘッドにより正確なサーボ信号を磁気テープに書き込むことができる。また、前記本発明の磁気テープ装置を磁気テープドライブとして用いた場合には、磁気ヘッドの信号読取素子がデータトラックからはみ出すことを防止でき、トラックずれによる読み取りエラーを防止することができる。
【００１８】
前記本発明の磁気テープの製造方法によれば、磁気テープに正確なサーボ信号を書き込むことができる。
【００１９】
前記本発明の磁気テープにおいては、前記第１の固定ガイド部の前記磁気テープの搬送経路の上流側端部と、前記第１のピンチローラと前記キャプスタンとの当接点との間の距離ｄ、及び前記第２の固定ガイド部の前記磁気テープの搬送経路の下流側端部と、前記第２のピンチローラと前記キャプスタンとの当接点との間の距離ｄは、５ｍｍ以下であることが好ましい。この構成によれば、磁気テープの搬送にともなう振動が発生しにくく、第１及び第２の固定ガイド上で、磁気テープを整然と搬送させることができる。
【００２０】
また、前記磁気テープは、長手方向にデータトラックを有しており、前記データトラックのトラック幅が３０μｍ以下であることが好ましい。
【００２１】
以下、本発明の一実施の形態について、図面を参照しながら具体的に説明する。図１は本発明の一実施の形態に係る磁気テープ装置の構成図を示している。本図は、サーボライタの例を示している。
【００２２】
サーボライタは、磁気テープに、磁気テープの幅方向の位置基準となるサーボ信号を予め書き込んでおくための装置である。磁気テープを駆動する磁気テープドライブにおいて、サーボ信号を書き込んだ磁気テープを用いれば、磁気テープが走行する際に、磁気テープに書き込んだサーボ信号を読み取ることにより、テープの幅方向の変動を検出することができる。
【００２３】
図１に示したサーボライタ１０は、磁気テープＭＴを送り出すための送出部１１と、送出部１１から磁気テープＭＴを巻き取るための巻取部１２とを備えている。
【００２４】
送出部１１の下流側でかつ巻取部１２の上流側に、例えばハの字型のサーボ信号を磁気テープＭＴに書き込むための磁気ヘッド１３を配置している。磁気ヘッド１３に隣接して、その上流側に第１の固定ガイド部１４を配置し、下流側に第２の固定ガイド部１５を配置している。
【００２５】
本発明におけるガイドとは、磁気テープＭＴが送出部１１から巻取部１２まで搬送される搬送経路を案内する役割を果たすものである。固定ガイドとは、ガイドそのものが回転したり移動したりしないガイドのことを指している。
【００２６】
送出部１１と磁気ヘッド１３との間の搬送経路上には、各種ガイドローラの他に、送出張力を制御するテンションアーム１９、磁気テープＭＴを挟圧支持して駆動・搬送する第１ピンチローラ１６、回転体であるキャプスタン１８、ブロック状の第１の固定ガイド１４を配置している。
【００２７】
磁気ヘッド１３と巻取部１２との間の搬送経路上には、ブロック状の第２の固定ガイド部１５、磁気テープＭＴを狭圧支持して駆動・搬送する第２ピンチローラ１７、巻取張力を制御するテンションアーム２０を配置している。
【００２８】
送出部１１から送り出された磁気テープＭＴは、テンションアーム１９にて適宜の張力に制御されつつ複数のガイドローラ等に案内され、第１ピンチローラ１６とキャプスタン１８とに狭圧支持され駆動・搬送される。第１及び第２の固定ガイド部１４、１５にて搬送される磁気テープＭＴがその幅方向に動かないように規制部（図２−４のフランジ１４ａ、１５ａ）により規制しつつ、磁気ヘッド１３にてサーボ信号を磁気テープＭＴに書き込む。規制部については、後に図２−４を参照しながら説明する。
【００２９】
第２ピンチローラ１７、キャプスタン１８は、サーボ信号を書き込んだ磁気テープＭＴを狭圧支持して巻取部１２に駆動・搬送する。テンションアーム２０は、巻取張力を適宜に制御する。テンションアーム１９、２０は、図の矢印方向にバネ等で付勢されて移動可能に配置される。
【００３０】
図２は、図１に示したサーボライタ１０の要部拡大図である。図３は、図２のＡ部の拡大図である。図４は、図３においてＢ方向から見た図である。図２において、磁気ヘッド１３の磁気テープＭＴの搬送経路上流側に、第１の固定ガイド部１４、第１ピンチローラ１６を備えている。
【００３１】
また、磁気ヘッド１３の磁気テープＭＴの搬送経路下流側に、第２の固定ガイド部１５、第２ピンチローラ１７を備えている。第１ピンチローラ１６と第２ピンチローラ１７とに挟まれる位置に、１つのキャプスタン１８を配置している。
【００３２】
第１及び第２ピンチローラー１６、１７の材質は、各種ゴム、プラスチックなどの弾性体であることが好ましい。キャプスタン１８の材質は、金属、セラミックスなどが好ましい。
【００３３】
図２−４に示したように、第１の固定ガイド１４及び第２の固定ガイド１５には、搬送される磁気テープＭＴを幅方向に規制する規制部であるフランジ１４ａ、１５ａを備えている。
【００３４】
図３に示したように、フランジ１４ａは、フランジ１４ａの一部が第１の固定ガイド１４の磁気テープＭＴとの当接面１４ｃからはみ出すように配置している。フランジ１５ａは、フランジ１５ａの一部が第２の固定ガイド１５の磁気テープＭＴとの当接面１５ｃからはみ出すように配置している。
【００３５】
一方、図４に示したように、フランジ１４ａは、固定ガイド１４の両側面に固定しており、フランジ１５ａは、固定ガイド１５の両側面に固定している。このことにより、フランジ１４ａ、１５ａは、磁気テープＭＴを幅方向の両側から規制することができる。
【００３６】
フランジ１４ａ、１５ａは、磁気ヘッド１３になるべく近い位置に設けることが好ましい。フランジ１４ａ、１５ａの材質は、耐摩耗性の良好なものが好ましく、例えばセラミックスが好ましい。
【００３７】
図２−４に示したように、第１の固定ガイド１４及び第２の固定ガイド１５の磁気テープＭＴとの当接面１４ｃ、１５ｃには、搬送される磁気テープＭＴに同伴する空気を排除するための空気排除溝１４ｂ、１５ｂが設けられている。空気排除溝１４ｂ、１５ｂには、吸引手段を設けて同伴空気を積極的に排除してもよい。
【００３８】
図２において、第１の固定ガイド１４の磁気テープＭＴの搬送経路の上流側端部と、第１ピンチローラ１６とキャプスタン１８との当接点との間の距離ｄ、及び第２の固定ガイド１５の磁気テープＭＴの搬送経路の下流側端部と、第２ピンチローラ１７とキャプスタン１８との当接点との間の距離ｄは、可能な限り小さいほうがよい。
【００３９】
例えば距離ｄは、５ｍｍ以下であることが好ましい。距離ｄがこの範囲であると、磁気テープＭＴの搬送にともなう振動が発生しにくく、第１の固定ガイド１４及び第２の固定ガイド１５上で、磁気テープＭＴが整然と搬送されるからである。
【００４０】
本実施の形態によれば、送出部１１から第１の固定ガイド１４までの搬送に伴う磁気テープＭＴの搬送速度変動、揺れ（振動）は、第１ピンチローラ１６とキャプスタン１８との当接点で断絶することができる。このため、磁気テープＭＴは第１の固定ガイド１４上を整然走行することができる。
【００４１】
さらに、第２の固定ガイド１５から巻取部１２までの搬送に伴う磁気テープＭＴの搬送速度変動、揺れ（振動）は、第２ピンチローラ１７とキャプスタン１８との当接点で断絶することができる。このため、磁気テープＭＴは第２の固定ガイド１５上を所定の速度で整然と走行することができる。この結果、磁気ヘッド１３により正確なサーボ信号を磁気テープＭＴに書き込むことができる。
【００４２】
次に、サーボライタ１０の動作について説明する。動作指示があると、磁気テープＭＴの搬送前に、送出部１１は時計回り方向、巻取部１２は、反時計回りにそれぞれを駆動するモータ（図示せず）により適宜なトルクが掛けられ、磁気テープＭＴに好ましい張力が加えられる。
【００４３】
張力はテンションアーム１９、２０の動きにより検知され、駆動モータの回転数やトルクが制御される。これにより、磁気ヘッド１３は、適切な力で磁気テープＭＴと当接する。
【００４４】
その後、第１ピンチローラ１６と第２ピンチローラ１７は、図２の破線で示したキャプスタン１８から離間した位置（待機位置）から、図２の実線で示した動作位置に移動する。このことにより、第１及び第２のピンチローラ１６、１７は、キャプスタン１８と当接し磁気テープＭＴを挟圧支持する。
【００４５】
キャプスタン１８は、これを駆動するモータ（図示せず）により回転駆動され、磁気テープＭＴは所定の速度で搬送される。送出部１１は送出張力及び書き込み部張力、巻取部１２は、巻取張力が好ましい範囲に維持されるように、それぞれの駆動モータの回転数やトルクが制御される。
【００４６】
所定の速度で搬送される磁気テープＭＴに、磁気ヘッド１３によりサーボ信号が書き込まれる。この際、前記のように、磁気テープＭＴは、第１の固定ガイド１４の上流側端部の近傍、第２の固定ガイド１５の下流側端部の近傍にて、第１ピンチローラ１６と第２ピンチローラ１７とにより、キャプスタン１８との間で挟圧支持される。
【００４７】
このため、送出部１１から第１の固定ガイド１４までの搬送に伴う磁気テープＭＴの搬送速度変動、揺れ（振動）や、第２の固定ガイド１５から巻取部１２までの搬送に伴う磁気テープＭＴの搬送速度変動、揺れ（振動）がそれぞれのピンチローラ１６、１７で遮断される。このことにより、磁気テープＭＴは第１及び第２の固定ガイド１４、１５上を所定の速度で整然と走行することができる。したがって、磁気ヘッド１３により正確なサーボ信号を磁気テープＭＴに書き込むことができる。
【００４８】
前記のサーボライタ１０の動作は、一例で、正常に磁気ヘッド１３により正確なサーボ信号を磁気テープＭＴに書き込むことができるのであれば、動作パターンは限定されず他の動作パターンであってもよい。
【００４９】
例えば、動作指示があると、第２ピンチローラ１７が待機位置から動作位置に移動し、キャプスタン１８と当接して磁気テープＭＴを挟圧支持する。その後ゆっくりとキャプスタン１８が、これを駆動するモータ（図示せず）により回転駆動されて回り始める。
【００５０】
そのとき、送出部１１は時計回り方向、巻取部１２は、反時計回りにそれぞれを駆動する不図示のモータにより適宜なトルクが掛けられ、磁気テープＭＴに好ましい張力が加えられる。張力はテンションアーム１９、２０の動きにより検知され、駆動モータの回転数やトルクが制御される。キャプスタン１８の回転速度が所定の値になり磁気テープＭＴが所定の搬送速度になったときに、第１ピンチローラ１６が待機位置から動作位置に移動し、キャプスタン１８と当接して磁気テープＭＴを挟圧支持する。
【００５１】
これにより、磁気テープＭＴは、磁気ヘッド１３を中心にして走行経路の上流側、下流側の両側からの搬送に伴う磁気テープＭＴの搬送速度変動、揺れ（振動）から遮断される。その後、所定の速度で搬送される磁気テープＭＴに磁気ヘッド１３によりサーボ信号が書き込まれる。
【００５２】
次に、比較例について説明する。図５は、比較例に係るサーボライタの構成図を示している。本図に示した構成は、前記特許文献３に開示されているサーボライタと同様の構成である。サーボライタ１００は、磁気テープＭＴを送り出すための送出部１０１と、送出部１０１から磁気テープＭＴを巻き取るための巻取部１０２とを備えている。
【００５３】
磁気テープＭＴの走行方向において、送出部１０１の下流側でかつ巻取部１０２の上流側に、サーボ信号を磁気テープＭＴに書き込むための磁気ヘッド１０３を配置している。磁気ヘッド１０３に隣接して、その上流側と下流側とにガイドブロック１０４を配置している。
【００５４】
図５では図示していないが、ガイドブロック１０４には、図２−４に示したフランジ１４ａ、１５ａと同様の構成の規制部であるフランジを設けている。また、図２−４に示した空気排除溝１４ｂ、１５ｂと同様の構成の空気排除溝を設けている。
【００５５】
図５に示した比較例では、規制部であるフランジや空気排除溝を設けている点では、本実施の形態の構成と同様である。しかしながら、磁気テープＭＴの走行経路のガイドブロック１０４より上流側に、支持されていない比較的長いテープスパンがある。この部分で磁気テープＭＴに搬送に伴う振動が発生し、磁気テープＭＴの走行変動の原因となる。
【００５６】
以下、実施例と比較例とを参照しながら、本発明をさらに具体的に説明する。
（実施例１）
図１に示した本実施の形態に係るサーボライタ１０を用いて磁気テープＭＴを搬送させて、サーボ信号の書き込みを行った。この際、磁気テープＭＴの幅方向の揺れ、長手方向の速度変動を測定し評価を行った。評価に使用した磁気テープＭＴは、可撓性支持体の一方の面に非磁性下塗層、磁性層の順に形成し、他方の面にバックコート層を設けて作製した。
（比較例１）
図５に示した比較例に係るサーボライタ１００を用いて磁気テープＭＴを搬送させて、サーボ信号の書き込みを行った以外は、実施例１と同様にして評価を行った。
【００５７】
実施例１及び比較例１における評価方法は、具体的には下記の通りである。
（幅方向の揺れ）
磁気ヘッド１３（１０３）と磁気ヘッド１３（１０３）の上流側の固定ガイド部１４（１０４）との間に、磁気テープＭＴの上エッジの幅方向の位置を検知する透過型光学センサを設置し、走行中の磁気テープＭＴの上エッジの位置を検出することにより磁気テープＭＴの幅方向の揺れを測定した。
【００５８】
磁気テープＭＴを所定の速度（５ｍ／ｓ）で１分間走行させ、得られた揺れ波形（１００Ｋサンプル／秒）０．５秒ごとの最大最小値の差（peak to peak）を１分間分平均し幅方向の揺れ量とした。
（長手方向の速度変動）
テープ及び測定器の速度変動をキャンセルし書き込みまれるゆらぎのみを測定する手法による。
（幅方向及び長手方向の変動周波数解析）
上記手法で得られたデータをＦＦＴ解析した（６０ｍｍから１ｍｍ波長領域の比較、測定速度６ｍ／ｓ）。
【００５９】
この解析においては、例えば、テープ幅方向の変動量を周波数解析した結果として、縦軸に幅方向変動分（ｍＶ）、横軸に周波数帯域（Ｈｚ）を表し、この変動量を重要な周波数帯域内で面積計算した値を変動量の指標とする。
【００６０】
以下の表１に前記各評価値を示す。
【００６１】
【表１】
2010205333.tif 000003
【００６２】
表１の結果から分かるように、実施例１は比較例１に比べ、磁気テープＭＴの幅方向の揺れ及び長手方向の速度変動が抑えられていることが分かる。したがって、本発明の磁気テープ装置は、磁気テープの走行安定性が特に要求される狭トラック幅の磁気テープ用に適している。
【００６３】
すなわち、本発明に係る磁気テープ装置をサーボライタとして用いれば、狭トラック幅の磁気テープを用いたときでも、基準エッジからの距離が一定な正確なサーボ信号が書き込まれた磁気テープを製造することができる。
【００６４】
また、本発明に係る磁気テープ装置を、磁気テープドライブとして用いれば、狭トラック幅の磁気テープを用いたときでも、トラックずれによる読み取りエラーを防止することができる。より具体的には、サーボ信号を書き込んだ磁気テープを磁気テープドライブで駆動する際には、磁気テープが走行する際に、磁気テープに書き込んだサーボ信号を読み取ることにより、テープの幅方向の変動を検出する。この変動に応じて、磁気ヘッドユニットをアクチュエータで磁気テープの幅方向に動かしてフィードバック制御を行う。本発明に係る磁気テープ装置は、前記の通り、磁気テープＭＴの幅方向の揺れ及び長手方向の速度変動が抑えられるので、前記のフィードバック制御による磁気ヘッドユニットの追従が正確になる。このことにより、磁気ヘッドの信号読取素子がデータトラックからはみ出すことを防止でき、トラックずれによる読み取りエラーを防止することができる。
【００６５】
本発明の磁気テープ装置に用いる磁気テープのデータトラック幅としては、３０μｍ以下が挙げられる。本発明の磁気テープ装置は、前記の通り、狭トラック幅の磁気テープ用として適している。このため、本発明の磁気テープドライブは、例えば２０μｍ以下や１０μｍ以下の狭トラック幅の磁気テープ用として適している。
【００６６】
なお、前記実施の形態において、サーボ信号はバックコート側に書き込まれても良い。
【産業上の利用可能性】
【００６７】
以上のように、本発明によれば、磁気テープの走行の安定性に優れているので、本発明は、例えば磁気テープにサーボ信号を書き込むサーボライタや、サーボ信号を書き込んだ磁気テープを駆動する磁気テープドライブとして有用である。
【符号の説明】
【００６８】
１０  磁気テープ装置（サーボライタ）
１１  送出部
１２  巻取部
１３  磁気ヘッド
１４  第１の固定ガイド
１４ａ，１５ａ  フランジ（規制部）
１４ｂ，１５ｂ  空気排出溝
１４ｃ，１５ｃ  当接面
１５  第２の固定ガイド
１６  第１ピンチローラ
１７  第２ピンチローラ
１８  キャプスタン
１９，２０  テンションアーム
ＭＴ  磁気テープ
【図１】
2010205333.tif 000004
【図２】
2010205333.tif 000005
【図３】
2010205333.tif 000006
【図４】
2010205333.tif 000007
【図５】
2010205333.tif 000008